(57)【要約】【課題】移動路が曲折している硬貨シュート内で硬貨を滞留させずに適切に排出可能な自動取引装置を提供する【解決手段】硬貨を繰り出す処理ユニットと、前記処理ユニットから繰り出された硬貨を受け止める受け部材と、前記処理ユニットと前記受け部材の間を連結し、前記処理ユニットから繰り出された硬貨が前記受け部材へ向けて移動する移動路が曲折している硬貨シュートと、を備え、前記硬貨シュートの底面と側面とを繋ぐ部分に、円弧状の曲げ部が形成されている、自動取引装置。【選択図】図３
2014142877.tif 000002
【特許請求の範囲】
【請求項１】
硬貨を繰り出す処理ユニットと、
前記処理ユニットから繰り出された硬貨を受け止める受け部材と、
前記処理ユニットと前記受け部材の間を連結し、前記処理ユニットから繰り出された硬貨が前記受け部材へ向けて移動する移動路が曲折している硬貨シュートと、
を備え、
前記硬貨シュートの底面と側面とを繋ぐ部分に、円弧状の曲げ部が形成されている、自動取引装置。
【請求項２】
請求項１に記載の自動取引装置において、
前記硬貨シュートは、内方側の短い内方側面と、外方側の長い外方側面とを有し、
前記曲げ部は、前記硬貨シュートの底面と前記外方側面とを繋ぐ部分に形成されている、自動取引装置。
【請求項３】
請求項２に記載の自動取引装置において、
前記硬貨シュートは、前記処理ユニットから硬貨が流入する流入口と、前記受け部材へ硬貨が流出する流出口とを有し、
前記曲げ部は、前記流入口と前記流出口のうちの前記流出口側に形成されている、自動取引装置。
【請求項４】
請求項３に記載の自動取引装置において、
前記流出口の開口面積は、前記流入口の開口面積よりも小さく、
前記流入口から前記流出口へ向けて前記硬貨シュートの幅が小さく形成されている、自動取引装置。
【請求項５】
請求項３又は４に記載の自動取引装置において、
前記外方側面は、前記流入口側の第１側面と、前記第１側面と略直交する前記流出口側の第２側面と、前記第１側面と前記第２側面を連結する連結面と、を有し、
前記連結面は、前記第１側面及び前記第２側面に交差するように形成されている、自動取引装置。
【請求項６】
請求項５に記載の自動取引装置において、
前記曲げ部は、前記硬貨シュートの底面と前記第２側面とを繋ぐ部分に形成されている、自動取引装置。
【請求項７】
請求項１〜６のいずれか１項に記載の自動取引装置において、
前記曲げ部の円弧の長さは、前記硬貨の直径よりも大きい、自動取引装置。
【請求項８】
請求項１〜７のいずれか１項に記載の自動取引装置において、
前記底面は、互いに傾きが異なる二つの面を繋げて形成されている、自動取引装置。
【請求項９】
請求項１〜８のいずれか１項に記載の自動取引装置において、
前記移動路は、略Ｌ字状に形成されている、自動取引装置。
【請求項１０】
請求項１〜９のいずれか１項に記載の自動取引装置において、
前記曲げ部は、前記硬貨シュートの底面と前記側面とを繋ぐ部分、及び前記底面に連続して形成されている、自動取引装置。
【請求項１１】
請求項１〜１０のいずれか１項に記載の自動取引装置において、
前記硬貨シュートの底面に段差部が形成されている、自動取引装置。
【請求項１２】
請求項１〜１０のいずれか１項に記載の自動取引装置において、
前記硬貨シュートの底面に突起部が形成されている、自動取引装置。
【発明の詳細な説明】
【技術分野】
【０００１】
本発明は、硬貨をシュートを介して排出する自動取引装置に関する。
【背景技術】
【０００２】
自動取引装置として、例えば、顧客の操作に応じて乗車券や航空券等を自動で販売する自動券売機が知られている。このような自動券売機は、例えば、駅の改札口付近に設置されており、顧客は自動券売機を操作して乗車券を購入する。
【０００３】
上記の自動券売機では、乗車券等を購入した際のつり銭硬貨を受け皿に排出するための硬貨シュートが設けられている。例えば、下記の特許文献１には、硬貨シュートの反発部で衝突した硬貨が、受け皿に排出される構成が開示されている。
【先行技術文献】
【特許文献】
【０００４】
【特許文献１】特開２０００−３３９５２４号公報
【発明の概要】
【発明が解決しようとする課題】
【０００５】
ところで、硬貨シュートの中には、シュート内部の硬貨の移動路が曲折している（例えば、移動路が略Ｌ字状に曲折している）ものがある。かかる構成において、硬貨シュートの底面や側面に接触した硬貨同士が、さらに接触する場合がある。このように接触状態が維持されると、硬貨シュート内で硬貨が詰まってしまい、滞留する恐れがある。この結果、硬貨が受け皿に適切に排出されないことになる。
【０００６】
そこで、本発明は、上記問題に鑑みてなされたものであり、本発明の目的とするところは、移動路が曲折している硬貨シュート内で硬貨を滞留させずに適切に排出可能な、新規かつ改良された自動取引装置を提供することにある。
【課題を解決するための手段】
【０００７】
上記課題を解決するために、本発明のある観点によれば、硬貨を繰り出す処理ユニットと、前記処理ユニットから繰り出された硬貨を受け止める受け部材と、前記処理ユニットと前記受け部材の間を連結し、前記処理ユニットから繰り出された硬貨が前記受け部材へ向けて移動する移動路が曲折している硬貨シュートと、を備え、前記硬貨シュートの底面と側面とを繋ぐ部分に、円弧状の曲げ部が形成されている、自動取引装置が提供される。
【０００８】
かかる自動取引装置の場合には、円弧状の曲げ部が、硬貨シュートの底面と側面とを繋ぐ部分に形成されているので、硬貨が曲げ部に沿って立った状態で勢い良く転がる。このため、硬貨シュート内で硬貨同士が接触した状態が維持されることを抑制できるので、硬貨が詰まることを防止できる。この結果、移動路が曲折している硬貨シュート内の硬貨の滞留を防止できる。
【０００９】
また、上記の自動取引装置において、前記硬貨シュートは、内方側の短い内方側面と、外方側の長い外方側面とを有し、前記曲げ部は、前記硬貨シュートの底面と前記外方側面とを繋ぐ部分に形成されていることとしても良い。
【００１０】
また、上記の自動取引装置において、前記硬貨シュートは、前記処理ユニットから硬貨が流入する流入口と、前記受け部材へ硬貨が流出する流出口とを有し、前記曲げ部は、前記流入口と前記流出口のうちの前記流出口側に形成されていることとしても良い。
【００１１】
また、上記の自動取引装置において、前記流出口の開口面積は、前記流入口の開口面積よりも小さく、前記流入口から前記流出口へ向けて前記硬貨シュートの幅が小さく形成されていることとしても良い。
【００１２】
また、上記の自動取引装置において、前記外方側面は、前記流入口側の第１側面と、前記第１側面と略直交する前記流出口側の第２側面と、前記第１側面と前記第２側面を連結する連結面と、を有し、前記連結面は、前記第１側面及び前記第２側面に交差するように形成されていることとしても良い。
【００１３】
また、上記の自動取引装置において、前記曲げ部は、前記硬貨シュートの底面と前記第２側面とを繋ぐ部分に形成されていることとしても良い
【００１４】
また、上記の自動取引装置において、前記曲げ部の円弧の長さは、前記硬貨の直径よりも大きいこととしても良い。
【００１５】
また、上記の自動取引装置において、前記底面は、互いに傾きが異なる二つの面を繋げて形成されていることとしても良い。
【００１６】
また、上記の自動取引装置において、前記移動路は、略Ｌ字状に形成されていることとしても良い。
【００１７】
また、上記の自動取引装置において、前記曲げ部は、前記硬貨シュートの底面と前記側面とを繋ぐ部分、及び前記底面に連続して形成されていることとしても良い。
【００１８】
また、上記の自動取引装置において、前記硬貨シュートの底面に段差部が形成されていることとしても良い。
【００１９】
また、上記の自動取引装置において、前記硬貨シュートの底面に突起部が形成されていることとしても良い。
【発明の効果】
【００２０】
以上説明したように本発明によれば、移動路が曲折している硬貨シュート内で硬貨を滞留させずに適切に排出することが可能となる。
【図面の簡単な説明】
【００２１】
【図１】本実施形態に係る自動発券機１の外観構成の一例を示す斜視図である。
【図２】下側操作部３０の構成例を説明するための図である。
【図３】硬貨処理ユニット６０と硬貨シュート７０と硬貨排出受け３８の関係を示す斜視図である。
【図４】図３をＺ軸方向から見た平面図である。
【図５】図３をＹ軸方向から見た正面図である。
【図６】硬貨シュート７０を示す斜視図である。
【図７】図４のＡ−Ａ断面図である。
【図８】図４のＢ−Ｂ断面図である。
【図９】図４のＣ−Ｃ断面図である。
【図１０】図５のＤ−Ｄ断面図である。
【図１１】比較例における硬貨シュート１７０での硬貨の移動態様を説明するための図である。
【図１２】本実施形態に係る硬貨シュート７０での硬貨の移動態様を説明するための図である。
【図１３】硬貨シュート７０の第１変形例を示す模式図である。
【図１４】硬貨シュート７０の第２変形例を示す模式図である。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
＜自動取引装置の概要＞
図１を参照しながら、自動取引装置の一例である自動発券機１の構成例について説明する。図１は、本実施形態に係る自動発券機１の外観構成の一例を示す斜視図である。
【００２４】
自動発券機１は、例えば駅の改札口の付近等に設置されており、顧客は自動発券機１を操作することにより乗車券（切符）を購入等できるようになっている。自動発券機１は、筐体１０と、顧客操作部１２とを有する。筐体１０は、縦長の箱状の形状を成している。顧客操作部１２は、筐体１０の前面上部に設けられており、顧客の操作に供される。
【００２５】
顧客操作部１２は、上端側から下端側へ向けて傾斜している。また、筐体１０の前に立つ顧客が見下ろして容易に操作できるように、顧客操作部１２の傾斜角と高さが設定されている。顧客操作部１２は、図１に示すように、上側操作部２０と下側操作部３０を含む。
【００２６】
上側操作部２０は、各種の情報を含む画面を表示する表示部２２を有する。また、表示部２２は、顧客が画面にタッチ可能なタッチパネル機能を有する。そして、上側操作部２０では、表示部２２に乗車券の購入に関する各種案内情報を表示させ、顧客が表示部２２に表示されたボタン画像等をタッチすることで、所望の乗車券等を選択できる。
【００２７】
下側操作部３０では、顧客がクレジットカード、紙幣、硬貨を挿入又は投入することで乗車券の代金を支払うことができる。また、支払いに応じた乗車券を排出することで、顧客は乗車券を受け取ることができる。また、乗車券の代金が支払われたときのつり銭を排出することで、顧客がつり銭を受け取ることができる。下側操作部３０は、凹状操作部３１と、凸状操作部３２とを有する。凹状操作部３１は、筐体１０の左側に設けられ、筐体１０の奥側に窪んでいる。凸状操作部３２は、筐体１０の右側に設けられ、筐体１０の前方に突出している。
【００２８】
（下側操作部３０の詳細構成例）
図２は、下側操作部３０の構成例を説明するための図である。凹状操作部３１は、図２に示すように、カード挿入排出口３４と、紙幣挿入口３５と、発券口３６と、紙幣排出口３７と、受け部材の一例である硬貨排出受け３８と、を有する。
【００２９】
カード挿入排出口３４は、ＩＣカードやクレジットカード等のカード状媒体の挿入又は排出ができるようになっている。カード挿入排出口３４は、凹状操作部３１の上部左側に横長のスリット状に設けられている。例えば、カード挿入排出口３４は、顧客が乗車券の代金をクレジットカードで支払う場合にクレジットカードが挿入される口であり、又は挿入されたクレジットカードを顧客に返却する排出口である。
【００３０】
紙幣挿入口３５は、顧客が乗車券の代金を紙幣で支払う場合に紙幣を挿入する口である。紙幣挿入口３５は、凹状操作部３１の上部右側に横長のスリット状に設けられている。紙幣挿入口３５は、紙幣を１枚ずつ、又は複数枚の紙幣を纏めて挿入できるようになっている。
【００３１】
発券口３６は、顧客が購入した乗車券（切符）を排出する排出口である。発券口３６は、凹状操作部３１の下部左側（カード挿入排出口３４の下方）に横長のスリット状に設けられている。
【００３２】
紙幣排出口３７は、例えば乗車券を購入した際に、つり銭としての紙幣を排出する排出口である。紙幣排出口３７は、凹状操作部３１の下部右側（紙幣挿入口３５の下方）に横長のスリット状に設けられている。なお、紙幣排出口３７は、複数枚の紙幣を重ねた状態で纏めて排出できるようになっている。
【００３３】
硬貨排出受け３８は、凸状操作部３２の硬貨排出口４３から排出される硬貨を受けて、集積する。硬貨排出受け３８は、凹状操作部３１の底面右側に、硬貨排出口４３と連結するように形成されたトレイである。硬貨排出受け３８は、集積された硬貨を容易に認識できるように暗色系の色（例えば黒色）となっている。なお、凹状操作部３１の硬貨排出受け３８以外の他の部分は、硬貨排出受け３８とは異なる例えば明色系の色となっている。
【００３４】
凸状操作部３２は、図２に示すように、硬貨投入口４１と、テンキー部４２と、硬貨排出口４３と、を有する。
【００３５】
硬貨投入口４１は、顧客が乗車券の購入代金として硬貨を投入するための口である。硬貨投入口４１は、凸状操作部３２の上部に設けられている。
【００３６】
テンキー部４２は、凸状操作部３２の硬貨投入口４１の下方左寄りの位置に設けられている。テンキー部４２は、「０」〜「９」等の数字のそれぞれに対応する数字キーを有し、例えば暗証番号の入力に用いられる。
【００３７】
硬貨排出口４３は、凸状操作部３２の側壁部の下端側に形成されている。硬貨排出口４３は、つり銭としての硬貨を排出する開口である。硬貨排出口４３から排出された硬貨は、硬貨排出受け３８に落下して集積される。
【００３８】
＜硬貨シュートの構成＞
自動発券機１は、内部に硬貨に関する各種の処理を行う硬貨処理ユニットを有している。そして、硬貨処理ユニットが硬貨を繰り出した場合には、硬貨は硬貨シュートを落下して硬貨排出受け３８に集積される。
【００３９】
図３は、硬貨処理ユニット６０と硬貨シュート７０と硬貨排出受け３８の関係を示す斜視図である。図４は、図３をＺ軸方向から見た平面図である。図５は、図３をＹ軸方向から見た正面図である。図６は、硬貨シュート７０を示す斜視図である。図７は、図４のＡ−Ａ断面図である。図８は、図４のＢ−Ｂ断面図である。図９は、図４のＣ−Ｃ断面図である。図１０は、図５のＤ−Ｄ断面図である。
【００４０】
硬貨処理ユニット６０は、図２に示す硬貨投入口４１（図３等では、説明の便宜上省略されている）を有する。硬貨処理ユニット６０は、硬貨投入口４１から投入された硬貨を集積すると共に、つり銭としての硬貨を排出する。また、硬貨処理ユニット６０は、図３等に示すように、硬貨を繰り出す繰出口６１を有する。
【００４１】
硬貨シュート７０は、硬貨処理ユニット６０の繰出口６１と硬貨排出受け３８との間を連結しており、繰出口６１から繰り出された硬貨を硬貨排出受け３８に導く。硬貨シュート７０は、例えば金属製の板金で構成されている。図３に示すように繰出口６１は硬貨排出受け３８よりも上方に位置しており、繰出口６１から繰り出された硬貨は、硬貨シュート７０を落下して硬貨排出受け３８に集積される。
【００４２】
また、図３に示すように繰出口６１と硬貨排出受け３８はＸ方向においてずれて位置しているため、硬貨シュート７０において繰出口６１から繰り出された硬貨が硬貨排出受け３８へ向けて移動する移動路は、曲折している。具体的には、図４に示すように硬貨シュート７０の硬貨の移動路Ｓは、略Ｌ字状に形成されている。
【００４３】
硬貨シュート７０は、図６に示すように、底面７１と、内方側の短い内方側面である短側面７２と、外方側の長い外方側面である長側面７３とを有する。なお、硬貨シュート７０の上面側は、開口していても良い。このため、硬貨シュート７０の断面形状は、図８に示すように略Ｕ字状である。
【００４４】
硬貨シュート７０は、図６に示すように、硬貨処理ユニット６０から硬貨が流入する流入口７４と、硬貨排出受け３８へ硬貨が流出する流出口７５とを有する。流入口７４は、繰出口６１に対向する位置に形成された開口であり、流出口７５は、硬貨排出受け３８に対応する位置に形成された開口である。
【００４５】
なお、流出口７５の開口面積は、流入口７４の開口面積よりも小さくても良い。かかる場合には、流入口７４から流出口７５へ向けて、硬貨シュート７０の幅が小さく形成されることになる。ただし、上記に限定されず、例えば、流出口７５の開口面積は、流入口７４の開口面積と同じであっても良い。
【００４６】
長側面７３は、流入口７４側の第１側面７３ａと、第１側面７３ａと略直交する流出口７５側の第２側面７３ｂと、第１側面７３ａと第２側面７３ｂを連結する連結面７３ｃと、を有する。ここで、連結面７３ｃは、第１側面７３ａ及び第２側面７３ｂに交差するように形成されている。ここで、連結面７３ｃが第１側面７３ａ及び第２側面７３ｂに交差する状態とは、連結面７３ｃが第１側面７３ａ及び第２側面７３ｂと十字状に交わっている状態、連結面７３ｃが第１側面７３ａと第２側面７３ｂを接続している状態、連結面７３ｃが第１側面７３ａ及び第２側面７３ｂを連結している状態を含むものとする。また、連結面７３ｃは、硬貨の移動路（図４の移動路Ｓ）において、略中間位置に位置する。
【００４７】
底面７１は、互いに傾きが異なる二つの面７１ａ、７１ｂを繋げて形成されている。面７１ａが短側面７２側に位置し、面７１ｂが長側面７３側に位置する。硬貨シュート７０を落下する硬貨は、面７１ａから面７１ｂに跨るように移動する。
【００４８】
＜硬貨シュート７０内の硬貨の滞留＞
ところで、硬貨シュート７０の内部の硬貨の移動路が曲折している場合には、硬貨シュート７０内において硬貨が滞留する恐れがある。そして、硬貨シュート７０内において硬貨が滞留すると、硬貨排出受け３８に硬貨が適切に排出されない問題が生じる。
【００４９】
具体的には、硬貨シュート７０の流入口７４から流入した硬貨が、硬貨シュート７０の中央部（長側面７３の連結面７３ｃの周辺）で一旦溜まる。そして、溜まった複数枚の硬貨が、それぞれ短側面７２や長側面７３に沿って移動する。この際、短側面７２に沿って移動中に底面７１及び短側面７２に接触した硬貨と、長側面７３に沿って移動中に長側面７３に接触した硬貨とが、互いに接触する場合がある。このように複数の点で接触した硬貨同士は、詰まってしまい、その後移動しなくなる。
【００５０】
そこで、本実施形態では、硬貨シュート７０において硬貨が滞留することを防止するために、図６に示すように、硬貨シュート７０の底面７１（具体的には、底面７１の面７１ｂ）と長側面７３（具体的には、長側面７３の第２側面７３ｂ）とを繋ぐ部分に、円弧状の曲げ部７６が形成されている。そして、曲げ部７６は、流入口７４と流出口７５のうちの流出口７５側に形成されている。曲げ部７６の円弧は、硬貨が引っ掛からないように所定曲率で形成されている。ここで、曲げ部７６の円弧の長さは、硬貨の直径よりも大きくても良い。
【００５１】
このような円弧状（いわゆるＲ形状）の曲げ部７６を設けることにより、流入口７４から流入した硬貨が、曲げ部７６に沿って立った状態で勢い良く転がる。これにより、長側面７３の連結面７３ｃの周辺で硬貨が一旦溜まることを抑制できるので、その後に硬貨同士が接触した状態が維持されることに起因して硬貨が詰まることを防止できる。この結果、移動路が曲折している硬貨シュート７０内の硬貨の滞留を防止できる。
【００５２】
前述したように硬貨シュート７０の移動路が略Ｌ字状（図４）の場合には、特に短側面７２側において硬貨が滞留しやすい。これに対して、本実施形態に係る曲げ部７６を設けることにより、硬貨が長側面７３に沿って転がりやすくなるため、連結面７３ｃ周辺で硬貨が一旦溜まることを抑制できる。これにより、連結面７３ｃ周辺で溜まった硬貨が短側面７２側に沿って移動することを抑制できるため、短側面７２側において硬貨が滞留することを防止できる。
【００５３】
また、前述したように流出口７５の開口面積が流入口７４の開口面積よりも小さい場合には、硬貨シュート７０内の硬貨の移動がゆっくりとなりやすい。これに対して、曲げ部７６を設けることにより、硬貨を勢い良く移動させることができるため、硬貨シュート７０内の硬貨の滞留を防止できる。
【００５４】
また、本実施形態の長側面７３の連結面７３ｃは、短側面７２との距離を小さくするように形成されている。このため、連結面７３ｃの周辺で硬貨が一旦溜まることを抑制できる。この結果、硬貨が短側面７２に沿って移動することを抑制できるので、硬貨の滞留をより効果的に防止できる。
【００５５】
また、曲げ部７６の円弧の長さを硬貨（例えば、硬貨シュート７０内を移動する最大直径の硬貨）の直径よりも大きくすることにより、硬貨が曲げ部７６上を転がりやすくなる。
【００５６】
なお、上記では、円弧状の曲げ部７６が、硬貨シュート７０の底面７１と長側面７３との繋ぐ部分のみに形成されていることとしたが、これに限定されない。例えば、底面７１も円弧状に曲げられていても良い。すなわち、曲げ部７６が、底面７１と長側面７３とを繋ぐ部分、及び底面７１に連続して形成されても良い。かかる場合には、曲げ部が広範囲に形成されるので、硬貨シュート７０内を硬貨の滞留を効果的に防止できる。
【００５７】
また、上記では、曲げ部７６の円弧が所定曲率で形成されていることとしたが、これに限定されない。例えば、曲げ部７６の円弧の曲率が変動していても良い。また、曲げ部７６の円弧の長さは、硬貨の直径よりも小さくても良い。
【００５８】
（比較例との対比）
以下では、比較例と対比しながら、本実施形態の有効性について詳しく説明する。図１１は、比較例における硬貨シュート１７０での硬貨の移動態様を説明するための図である。図１２は、本実施形態に係る硬貨シュート７０での硬貨の移動態様を説明するための図である。
【００５９】
図１１に示す変形例に係る硬貨シュート１７０には、本実施形態に係る曲げ部７６が形成されていない。また、変形例においては、長側面１７３の連結面１７３ｃと、短側面１７２との距離が、本実施形態の場合に比べて大きい。すなわち、連結面１７３ｃの幅が小さい。
【００６０】
比較例の場合には、硬貨Ｃは連結面１７３ｃの周辺（図１１（ａ）の位置Ｐ１）で一旦溜まり易い。そして、溜まった複数の硬貨Ｃが、流出口１７５へ向けて纏まって移動することになる。この際、硬貨シュート１７０の底面や側面に接触した硬貨Ｃ同士が図１１（ｂ）に示すように接触してしまい、硬貨が移動できなくなり詰まってしまう。特に、硬貨シュート１７０の短側面１７２に沿って移動する硬貨Ｃが増える場合には、硬貨同士が接触しやすくなる。
【００６１】
これに対して、本実施形態においては、曲げ部７６を設けることにより、図１２に示すように硬貨Ｃが長側面７３に沿って立った状態で転がる。これにより、短側面７２に沿って移動する硬貨Ｃを抑制できるため、図１１（ｂ）に示すように硬貨同士が接触する状態を回避できる。この結果、硬貨シュート７０内の硬貨の滞留を効果的に防止できる。また、本実施形態の場合には、連結面７３ｃと短側面７２との距離が小さくなるように連結面７３ｃの幅を大きくしているので、連結面７３ｃに沿って硬貨が流れやすくなる。
【００６２】
＜硬貨シュート７０の変形例＞
硬貨シュート７０として、上記では図６に示す形状を例に挙げて説明したが、これに限定されない。例えば、以下に説明する図１３や図１４に示す形状の硬貨シュート７０であっても良い。
【００６３】
図１３は、硬貨シュート７０の第１変形例を示す模式図である。第１変形例においては、硬貨シュート７０の底面７１に段差部７８が形成されている。段差部７８は、例えば、硬貨シュート７０の中央部に硬貨排出受け３８側が低くなるように形成されている。なお、図１３では、１段の段差部７８が図示されているが、これに限定されず、例えば２段以上の段差部であっても良い。
【００６４】
第１変形例に係る段差部７８を設ける場合には、硬貨シュート７０を移動中の硬貨Ｃが、段差部７８によって姿勢が変化する（バランスを崩す）。これにより、硬貨Ｃ同士が接触した状態を崩すことができるので、硬貨が滞留することを防止できる。
【００６５】
図１４は、硬貨シュート７０の第２変形例を示す模式図である。第２変形例においては、硬貨シュート７０の底面７１に突起部７９が形成されている。突起部７９は、例えば、硬貨シュート７０の中央部に底面７１から突出するように形成されている。なお、図１４では、一つの突起部７９が図示されているが、これに限定されず、例えば複数の突起部が形成されても良い。
【００６６】
第２変形例に係る突起部７９を設けた場合にも、段差部７８を設けた場合と同様に、硬貨シュート７０を移動中の硬貨Ｃが、突起部７９によって姿勢が変化する（バランスを崩す）。これにより、硬貨Ｃ同士が接触した状態を崩すことができるので、硬貨が滞留することを防止できる。なお、第１変形例及び第２変形例とも、曲げ部７６と併用することで、硬貨の滞留を効果的に防止できる。
【００６７】
上記では、自動取引装置として、駅の改札口に設置され乗車券を販売する自動券売機を例に挙げて説明したが、これに限定されない。例えば、自動取引装置は、飲料類を販売する自動販売機や自動精算機であっても良く、金融機関等に設置されるＡＴＭであっても良い。このように、本願発明は、硬貨シュートを介して硬貨排出受けに硬貨を排出する種々の装置に適用できる。
【００６８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６９】
１      自動発券機
３８    硬貨排出受け
６０    硬貨処理ユニット
６１    繰出口
７０    硬貨シュート
７１    底面
７２    短側面
７３    長側面
７３ａ    第１側面
７３ｂ    第２側面
７３ｃ    連結面
７４    流入口
７５    流出口
７６    曲げ部
【図１】
2014142877.tif 000003
【図２】
2014142877.tif 000004
【図３】
2014142877.tif 000005
【図４】
2014142877.tif 000006
【図５】
2014142877.tif 000007
【図６】
2014142877.tif 000008
【図７】
2014142877.tif 000009
【図８】
2014142877.tif 000010
【図９】
2014142877.tif 000011
【図１０】
2014142877.tif 000012
【図１１】
2014142877.tif 000013
【図１２】
2014142877.tif 000014
【図１３】
2014142877.tif 000015
【図１４】
2014142877.tif 000016